(57)【特許請求の範囲】
【請求項１】
複数の分割コアを環状に配列させた分割コア組立体の前記分割コアにコイル形成用の線材を巻き付けたのち、隣接する二つの分割コアのうち一方の分割コアの第１突出腕と他方の分割コアの第２突出腕とで形成される複数のピン打ち孔にそれぞれピンを打ち込んで前記分割コア組立体の形状を確定するピン打ち装置であって、
前記線材が巻き付けられた複数の分割コアからなる分割コア組立体の外周部を中心軸に向かって押圧して前記複数のピン打ち孔を形成するチャック手段と、
形成された前記複数のピン打ち孔にそれぞれピンを案内するピンガイドと、
前記チャック手段の上方に配置され、前記ピンガイドで案内された前記ピンを前記ピン打ち孔に打ち込む圧入手段と、
を有することを特徴とするピン打ち装置。
【請求項２】
前記圧入手段は、全てのピンを同時に打ち付ける一次圧入矢と、２本又は３本以上の特定のピンだけを同時に打ち付ける二次圧入矢とを交換自在に備えていることを特徴とする請求項１記載のピン打ち装置。
【請求項３】
前記二次圧入矢は、前記複数のピン打ち孔における等間隔となる２本又は３本以上のピン打ち孔に同時にピンを打ち付けるピン打ちヘッドを有し、前記一次圧入矢で所定長さだけ打ち込まれた複数のピンを複数回に分けて再度打ち込むものであることを特徴とする請求項２記載のピン打ち装置。
【請求項４】
前記チャック手段は、油圧を利用して前記分割コア組立体の外周部を前記中心軸に向かって押圧するものであることを特徴とする請求項１乃至３のいずれか１項に記載のピン打ち装置。
【請求項５】
前記ピンガイドは、前記分割コア組立体の中央空間部に嵌挿される円柱部と、該円柱部の一端に設けられた円盤部とを有し、該円盤部の外周面に沿って複数のピンガイド用貫通孔が形成されていることを特徴とする請求項１乃至４の何れか１項に記載のピン打ち装置。
【請求項６】
前記ピンガイドの前記円盤部には、前記円柱部に平行な位置決めピンが設けられており、該位置決めピンは、前記分割コア組立体を形成する一の分割コアに設けられた係合孔に係合して前記分割コア組立体に設けられた前記ピン打ち孔と前記円盤部に設けられた前記ピンガイド用貫通孔との位置合わせを行うことを特徴とする請求項５記載のピン打ち装置。
【請求項７】
複数の分割コアを環状に配列させた分割コア組立体の前記分割コアにコイル形成用の線材を巻き付けたのち、隣接する二つの分割コアのうち一方の分割コアの第１突出腕と他方の分割コアの第２突出腕とで形成される複数のピン打ち孔にそれぞれピンを打ち込んで前記分割コア組立体の形状を確定するピン打ち方法であって、
請求項１乃至６のいずれか１項記載のピン打ち装置を用い、
前記分割コア組立体を前記チャック手段に装着し、外周部を中心軸に向かって押圧して前記分割コア相互間に前記複数のピン打ち孔を形成した後、
前記分割コア組立体に前記ピンガイドを装着して該ピンガイドの前記ピンガイド用貫通孔を介して前記複数のピン打ち孔にそれぞれピンを案内し、
該ピンを前記圧入手段によって打ち付けることを特徴するピン打ち方法。
【請求項８】
前記圧入手段によるピン打ち操作は、前記一次圧入矢を用いて全てのピンを同時に所定長さだけ打ち込む一次圧入工程と、該一次圧入工程後に、前記二次圧入矢を用いて等間隔に配置された２本又は３本以上のピンを同時に打ち込む複数の二次圧入工程とを有することを特徴とする請求項７記載のピン打ち方法。
【発明の詳細な説明】
【技術分野】
【０００１】
本発明は、ピン打ち装置及びピン打ち方法に関し、特に、コイル用の線材が巻き付けられた複数の分割コアからなる分割コア組立体の隣接する二つの分割コア相互間に形成されるピン打ち孔にピンを打ち込んでステータコアを完成させるピン打ち装置及びピン打ち方法に関する。
【背景技術】
【０００２】
一般に、コア部材にコイル形成用の線材を巻き付けることによってステータコアが形成されるが、コア部材が複数の分割コアを組み合わせた分割コア組立体からなる場合は、各分割コアの所定位置にコイル形成用の線材を巻き付けただけでは、ステータコアを完成させたことにはならない。かかる場合、コイル形成用の線材を巻き付けた分割コア組立体の分割コア相互間に形成されるピン打ち孔にピンを打ち込んで、分割コア組立体としての形状を確定させる必要がある。
【０００３】
複数の分割コアからなる分割コア組立体又は分割コア組立体に線材を巻き付ける線材巻き付け方法に関する従来技術を開示する文献として、例えば特許文献１〜３が挙げられる。
【０００４】
特許文献１は、複数の分割コアに線材を連続して巻き付ける巻線装置に関するものであり、複数の分割コアを、分割コアセット部分にそれぞれセットし、分割コアセット部分を、分割コアごと巻線作業位置まで順次移動させた状態で分割コアセット部分を有する治具全体を回転させ、これによって各分割コアに線材を順次巻き付けるようにした巻線装置が記載されている。この巻線装置によれば、巻き付け速度の低下や設備費の増大を招くことなく、複数の分割コアに連続して線材の巻き付けを行うことができるということである。
【０００５】
また、特許文献２は、分解ステータコアの巻線装置に関するものであり、駆動軸に取り付けられたステータコアを駆動軸によって１磁極分ステップ送りしながら、爪部間に線材を通して磁極部分に順次連続的に巻線を施す巻線装置であって、駆動軸の回転に同期して磁極単位に分割した各コア素子が相互に円周方向に所定範囲で可動となるように結合され一体に組み付けられたステータコアを部分的に順次外方に押し広げる手段を設けた分割ステータコアの巻線装置が開示されている。この巻線装置によれば、専用の巻線装置を要することなく、従来の一体型コアに適用される巻線装置によって分割コア組立体に巻線を施すことができるということである。
【０００６】
また、特許文献３は、分割コア配列装置に関するものであり、コイルが巻かれた複数の分割コアを環状に配列する分割コア配列装置であって、複数の分割コアをそれぞれ保持する複数の分割コア保持治具と、隣り合う分割コア保持治具を回動可能に連結する連結手段とを備え、複数の分割コア保持治具を一列に展開すること又は環状に配列することを可能にした分割コア配列装置が記載されている。この分割コア配列装置によれば、環状に配列された分割コアを簡便に得ることができると共に、環状に配列された分割コアと環状のヨークとを組み合わせることによって簡便にステータを形成できるということである。
【特許文献１】特開２００３−３４８８０３号公報
【特許文献２】特開２００４−２７４９８０号公報
【特許文献３】特開２００６−３５２９６６号公報
【発明の開示】
【発明が解決しようとする課題】
【０００７】
しかしながら、上記従来技術には、コイル形成用の線材を巻き付けた複数の分割コアからなる分割コア組立体の全体形状を確定させるためのピン打ち装置又はピン打ち方法に関する具体的技術が開示されておらず、分割コア組立体の形状を確定させるためのピン打ち装置又はピン打ち方法の確立が望まれていた。
【０００８】
本発明の目的は、コイル形成用の線材が巻き付けられた複数の分割コアからなる分割コア組立体の隣接する分割コア相互間に形成されるピン打ち孔にピンを打ち込んで分割コア組立体の形状を確定するピン打ち装置及びピン打ち方法であって、操作が容易で、熟練者でなくても良好なステータコアを形成することができるピン打ち装置及びピン打ち方法を提供することにある。
【課題を解決するための手段】
【０００９】
上記目的を達成するために、請求項１に記載のピン打ち装置は、複数の分割コアを環状に配列させた分割コア組立体の前記分割コアにコイル形成用の線材を巻き付けたのち、隣接する二つの分割コアのうち一方の分割コアの第１突出腕と他方の分割コアの第２突出腕とで形成される複数のピン打ち孔にそれぞれピンを打ち込んで前記分割コア組立体の形状を確定するピン打ち装置であって、前記線材が巻き付けられた分割コアからなる分割コア組立体の外周部を中心軸に向かって押圧して前記複数のピン打ち孔を形成するチャック手段と、形成された前記複数のピン打ち孔にそれぞれピンを案内するピンガイドと、前記チャック手段の上方に配置され、前記ピンガイドで案内された前記ピンを前記ピン打ち孔に打ち込む圧入手段と、を有することを特徴とする。
【００１０】
請求項２記載のピン打ち装置は、請求項１記載のピン打ち装置において、前記圧入手段は、全てのピンを同時に打ち付ける一次圧入矢と、２本又は３本以上の特定のピンだけを同時に打ち付ける二次圧入矢とを交換自在に備えていることを特徴とする。
【００１１】
請求項３記載のピン打ち装置は、請求項２記載のピン打ち装置において、前記二次圧入矢は、前記複数のピン打ち孔における等間隔となる２本又は３本以上のピン打ち孔に同時にピンを打ち付けるピン打ちヘッドを有し、前記一次圧入矢で所定長さだけ打ち込まれた複数のピンを複数回に分けて再度打ち込むものであることを特徴とする。
【００１２】
請求項４に記載のピン打ち装置は、請求項１乃至３のいずれか１項に記載のピン打ち装置において、前記チャック手段は、油圧を利用して前記分割コア組立体の外周部を前記中心軸に向かって押圧するものであることを特徴とする。
【００１３】
請求項５記載のピン打ち装置は、請求項１乃至４の何れか１項に記載のピン打ち装置において、前記ピンガイドは、前記分割コア組立体の中央空間部に嵌挿される円柱部と、該円柱部の一端に設けられた円盤部とを有し、該円盤部の外周面に沿って複数のピンガイド用貫通孔が形成されていることを特徴とする。
【００１４】
請求項６記載のピン打ち装置は、請求項５記載のピン打ち装置において、前記ピンガイドの前記円盤部には、前記円柱部に平行な位置決めピンが設けられており、該位置決めピンは、前記分割コア組立体を形成する一の分割コアに設けられた係合孔に係合して前記分割コア組立体に設けられた前記ピン打ち孔と前記円盤部に設けられた前記ピンガイド用貫通孔との位置合わせを行うことを特徴とする。
【００１５】
上記目的を達成するために、請求項７記載のピン打ち方法は、複数の分割コアを環状に配列させた分割コア組立体の前記分割コアにコイル形成用の線材を巻き付けたのち、隣接する二つの分割コアのうち一方の分割コアの第１突出腕と他方の分割コアの第２突出腕とで形成される複数のピン打ち孔にそれぞれピンを打ち込んで前記分割コア組立体の形状を確定するピン打ち方法であって、請求項１乃至６のいずれか１項記載のピン打ち装置を用い、前記分割コア組立体を前記チャック手段に装着し、外周部を中心軸に向かって押圧して前記分割コア相互間に前記複数のピン打ち孔を形成した後、前記分割コア組立体に前記ピンガイドを装着して該ピンガイドの前記ピンガイド用貫通孔を介して前記複数のピン打ち孔にそれぞれピンを案内し、該ピンを前記圧入手段によって打ち付けることを特徴する。
【００１６】
請求項８記載のピン打ち方法は、請求項７記載のピン打ち方法において、前記圧入手段によるピン打ち操作は、前記一次圧入矢を用いて全てのピンを同時に所定長さだけ打ち込む一次圧入工程と、該一次圧入工程後に、前記二次圧入矢を用いて等間隔に配置された２本又は３本以上ピンを同時に打ち込む複数の二次圧入工程とを有することを特徴とする。
【発明の効果】
【００１７】
請求項１に記載のピン打ち装置によれば、分割コア組立体の外周部を中心軸に向かって押圧して複数のピン打ち孔を形成するチャック手段と、複数のピン打ち孔にそれぞれピンを案内するピンガイドと、案内されたピンを打ち込む圧入手段と、を有するので、操作が容易で、熟練者でなくても良好な形状のステータコアを形成することができる。
【００１８】
請求項２記載のピン打ち装置によれば、圧入手段が、全てのピンを同時に打ち付ける一次圧入矢と、２本又は３本以上の特定のピンだけを同時に打ち付ける二次圧入矢とを交換自在に備えているので、上記発明の効果に加え、周方向における分割コア相互の係合強度のばらつきを抑えて複数の分割コアが等しい力で安定に組み付けられたステータコアを形成することができる。
【００１９】
請求項３記載のピン打ち装置によれば、二次圧入矢を、複数のピン打ち孔における等間隔となる２個又は３個以上のピン打ち孔に同時にピンを打ち付けるピン打ちヘッドを有し、一次圧入矢で所定長さだけ打ち込まれた複数のピンを複数回に分けて再度打ち込むものとしたので、上記発明の効果に加え、効率良くピンを打ち込んで、分割コア相互が均等の力で連結した分割コア組立体を形成することができる。
【００２０】
請求項４記載のピン打ち装置によれば、チャック手段を、油圧を利用したものとしたので、上記発明の効果に加え、分割コアの外周部を均等に中心軸に向かって押圧して周方向に沿って均等に配置された複数のピン打ち孔を形成することができる。
【００２１】
請求項５記載のピン打ち装置によれば、ピンガイドを、分割コア組立体の中央空間部に嵌挿される円柱部と、該円柱部の一端に設けられた円盤部とを有し、該円盤部の外周面に沿って複数のピンガイド用貫通孔が形成されたものとしたので、上記発明の効果に加え、各ピン打ち孔へ正確にピンを案内することができる。
【００２２】
請求項６記載のピン打ち装置によれば、ピンガイドの円盤部に、円柱部に平行な位置決めピンを設け、この位置決めピンを、分割コア組立体を形成する一の分割コアに設けられた係合孔に係合するものとしたので、上記発明の効果に加え、ピン打ち孔に対するピンガイド用貫通孔の位置合わせを正確に行うことができる。
【００２３】
請求項７記載のピン打ち方法によれば、請求項１乃至６の何れか１項に記載のピン打ち装置を用いてピン打ちを行うので、操作が容易で、熟練者でなくても良好な形状のステータコアを形成することができる。
【００２４】
請求項８記載のピン打ち方法によれば、圧入手段によるピン打ち操作を、一次圧入矢を用いて全てのピンを同時に所定長さだけ打ち込む一次圧入工程と、この一次圧入工程後に、二次圧入矢を用いて等間隔に配置された２本又は３本以上のピンを同時に打ち込む複数の二次圧入工程とを有するものとしたので、上記発明の効果に加え、分割コア相互間における連結強度のばらつきを抑えて形状が安定したステータコアを形成することができる。
【発明を実施するための最良の形態】
【００２５】
以下、本発明の実施の形態を図面を参照しながら詳述する。
【００２６】
図１は、本発明の実施の形態に係るピン打ち装置を示す説明図である。
【００２７】
図１において、このピン打ち装置は、台座１と、該台座１上に固定されたチャック手段としてのチャック２と、チャック２の上方に設けられ、ピンを打ち込む圧入手段としての圧入プレス３と、チャック２に装着される分割コア組立体のピン打ち孔にピンを案内する図示省略した（後述する図５及び図６参照）ピンガイド４とから主として構成されている。
【００２８】
図２は、図１におけるチャック２を示す平面図である。
【００２９】
図２において、チャック２は、例えば手動による押圧装置であり、台座１上に固定されており、円弧状の押圧面を有する例えば３分割された押圧部材２ａと、各押圧部材２ａを中心軸２ｂに向かって付勢する押圧アーム２eと、押圧アーム２eに連結され、手動による押圧力を伝達する押圧レバー２ｃと、押圧レバー２ｃに連結された操作ハンドル２ｆとから主として構成されている。２ｄは、操作ハンドル２ｆを操作するときの作業者のバランスとり用のハンドルである。３個の押圧部材２ａの各円弧状の押圧面はそれぞれ分割コア組立体（図示省略）の外周部の約１／３をカバーし、３個の押圧部材２ａによって分割コア組立体の全外周面を中心軸２ｂに向かって均等に押圧する。なお、図２において、チャック２の中心軸２ｂは、チャック２に装着される分割コア組立体（図示省略）の中心軸と一致する。従って、以下、チャック２に装着された分割コア組立体の中心軸を、便宜上、中心軸２ｂということがある。
【００３０】
図３は、図１の圧入プレス３を示す斜視図であって、図３（Ａ）は、一次圧入矢を取り付けた状態を示す図、図３（Ｂ）は、二次圧入矢を取り付けた状態を示す図である。また、図４は、図３の圧入プレス３の先端部に取り付けられた一次圧入矢及び二次圧入矢の形状を示す説明図である。
【００３１】
図３及び図４において、圧入プレス３に取り付けられた一次圧入矢３ａは円形のピン打ちヘッド３ａ１を備えており、分割コア組立体の内周面に沿って形成された全てのピン打ち孔に対してそれぞれピンを同時に打ち込む一次圧入工程を行う。一方、二次圧入矢３ｂは、例えば３個のピン打ちヘッド３ｂ１を有し、一次圧入矢３ａによってある程度打ち込まれた全てのピンのうち、特定の等間隔に配置された３本のピンを同時に、例えば数回押圧して完全に打ち込む二次圧入工程を行う。二次圧入工程は、複数回繰り返して行われ、これによって全部のピンが完全に打ち込まれる。
【００３２】
二次圧入矢が一度に打ち込むピンの数は、好ましくは２本又は３本以上であるが、３本であることがより好ましい。一度に打ち込むピンの数を３本とすることによって、二次圧入矢によるピンの打ち込み強度のばらつきを効果的に抑えて分割コア相互の連結状態をより安定させることができる。
【００３３】
一次圧入矢３ａ及び二次圧入矢３ｂは、圧入プレス３の先端部に交換可能に取り付けられ、二次圧入矢３ｂは圧入プレス３の中心軸に対して所定角度、例えば２０〜３０度ずつ回転可能に装着される。これによって、一次圧入矢によって所定長さだけ打ち込まれた全てのピンのうち、例えば等間隔に配置された特定の３本のピンを打ち込み、その後、二次圧入矢３ｂを、例えば２０〜３０度の整数倍だけ回転させて再度等間隔に配置された別の３本のピンを打ち込む二次圧入工程を行い、以下この二次圧入工程を所定回数、例えば４〜６回繰り返すことによって、全体として打ち込むピン位置が常時バランスするように二次圧入工程を繰り返し、これによって分割コア組立体に作用する応力を均一化して形状を安定させることができる。
【００３４】
図５は、ピンガイドの斜視図であり、図６は、ピンガイドの側面（Ａ）及び円盤部表面（Ｂ）を示す説明図である。
【００３５】
図５及び図６（Ａ）、（Ｂ）において、ピンガイド４は、ピン打ちの対象物である分割コア組立体の中央の空間部に嵌挿される円柱部４ａと、この円柱部４ａの一端に設けられた円盤部４ｂとから主として構成されている。円盤部４ｂの外周面に沿って複数のピンガイド用貫通孔４ｃが設けられている。ピンガイド用貫通孔４ｃは、ピン（図示省略）を分割コア組立体の各分割コア相互間に形成されるピン打ち孔に案内する。
【００３６】
円盤部４ｂには、係合ピン４ｄが設けられており、係合ピン４ｄは分割コア組立体を構成する特定の分割コア（基本分割コア）に形成された係合孔（後述する図８の符号１１ｂ）に係合して、ピンガイド４のピンガイド用貫通孔４ｃと分割コア組立体の各ピン打ち孔との位置合わせを行う。なお、図５及び図６（Ａ）において、ピンガイド４は便宜上、ピン打ち操作における使用時とは上下が逆向きに示されている。
【００３７】
以下、本実施の形態に係るピン打ち装置の動作について説明する。
【００３８】
図７は、上述したピン打ち装置を用いた本実施の形態に係るピン打ち方法を示すフローチャートである。
【００３９】
図７において、分割コア組立体へのピン打ちは以下のように行われる。すなわち、先ず、ピン打ちの対象となる巻線が施された複数の分割コアからなる分割コア組立体をピン打ち装置のチャック２に装着する（ステップＳ１）。
【００４０】
分割コア組立体をチャック２に装着した後、チャック２の押圧レバー先端の操作ハンドル２ｆを操作して分割コア組立体の外周部を中心軸２ｂ方向に押圧して分割コア相互間に複数のピン打ち孔を形成する（ステップＳ２）。
【００４１】
図８は、ピン打ち装置のチャック２に装着された状態の分割コア組立体１０を示す平面図であり、図８（Ａ）は、操作ハンドル２ｆを作動させる前の状態を示す図、図８（Ｂ）は、操作ハンドル２ｆを作動させた状態を示す図である。
【００４２】
図８（Ａ）において、押圧部材２ａは作動していないので、分割コア組立体１０の各分割コア１１相互間にピン打ち孔は形成されていない。一方、図８（Ｂ）において、押圧部材２ａは作動しており、分割コア組立体１０の外周部が中心軸に向かって押圧されてその径が小さくなり、これによって分割コア組立体１０における隣接する分割コア１１相互間に複数のピン打ち孔１４が形成されている。
【００４３】
図９は、図８における分割コア１１の拡大図であり、図９（Ａ）は、一の分割コア１１を示す図、図９（Ｂ）は、隣接する二つの分割コア相互間に形成されたピン打ち孔１４を示す図である。
【００４４】
図９（Ａ）において、分割コア１１は、第１突出腕１２と第２突出腕１３とを有している。また、図９（Ｂ）において、隣接する分割コア１１相互において、一方の分割コア１１の第１突出腕１２と、他方の分割コア１１の第２突出腕１３とが重なっており、第１突出腕１２の切欠部と第２突出腕１３の切欠部によってピン打ち孔１４が形成されている。ピン打ち孔１４にピンを打ち込むことによって、隣接する分割コア１１が相互に一体に連結する。
【００４５】
次いで、図７において、ピン打ち孔１４が形成された（ステップＳ２）分割コア組立体１０上にピンガイド４をセットし、ピンガイド４の係合ピン４ｄを分割コア組立体１０の構成部材である基本分割コア１１ａの係合孔１１ｂ（図８参照）に嵌合させ、分割コア組立体１０に形成された複数のピン打ち孔１４とピンガイド４に設けられた複数のピンガイド用貫通孔４ｃとの位置合わせを行う（ステップＳ３）。
【００４６】
ピン打ち孔１４とピンガイド用貫通孔４ｃとの位置合わせを行った後、ピンガイド４の各ピンガイド孔貫通４ｃにそれぞれピンを挿入し、分割コア組立体１０のピン打ち孔１４に案内する（ステップＳ４）。
【００４７】
次いで、ピンガイド４によって案内されたピンを打ち込む一次圧入操作（ステップＳ５）及び二次圧入操作（ステップＳ６）を行う。
【００４８】
図１０は、分割コア組立体１０へのピン打ち操作を示す要部拡大図である。
【００４９】
図１０（Ａ）において、ピン１５はピンガイド４のピンガイド用貫通孔４ｃによって分割コア１１相互間に形成されたピン打ち孔１４に案内されている。このようにピン打ち孔１４に案内されたピン１５の頂部を、圧入プレス３の先端部に取り付けた一次圧入矢３ａによって所定長さ、すなわち、ピンガイド４の円盤部４ｂの厚さに相当する長さ、例えば
１０〜２０ｍｍだけ残して全てのピン１５を同時に打ち込む一次圧入操作を行う（図１０（Ｂ））（ステップＳ５）。
【００５０】
次に、ピンガイド４を取り外し（図１０（Ｃ））、二次圧入矢３ｂを用いて全てのピンのうちの等間隔に配置された特定の例えば３本のピン１５の頂部を、再度、例えば１〜２回押圧してピン１５を完全に打ち込む二次圧入操作を行う（図９（Ｄ））（ステップＳ６）。
【００５１】
次に、二次圧入矢３ｂを圧入プレス３の中心軸に対して所定角度、例えば２０度の整数倍づつ任意に回転させて全てのピン１５を全体としてバランスよく打ち付ける二次圧入操作を所定回数、例えば６回繰り返し、これによって全てのピン１５を完全に打ち込んで、ステータコアを形成する（ステップＳ７）。
【００５２】
本実施の形態によれば、分割コア組立体１０の外周部を中心軸に向かって押圧して分割コア１１相互間に複数のピン打ち孔１４を形成するチャック２と、複数のピン打ち孔１４にそれぞれピン１５を案内するピンガイド４と、チャック２の上方に配置され、ピン１５をピン打ち孔１４に打ち込む圧入プレス３とを有するので、操作が容易で、熟練者でなくても良好な形状のステータコアを形成することができる。
【００５３】
また、本実施の形態によれば、圧入プレス３が、全てのピンを同時に打ち付ける一次圧入矢３ａと、特定の等間隔に配置された例えば３個のピン１５のみを同時に打ち付ける二次圧入矢３ｂとを交換自在に備えているので、先ず、一次圧入矢３ａで全部のピン１５を所定の長さだけ残して打ち込む一次圧入操作を行い、その後、３本のピンを順次二次圧入矢３ｂで再度打ち込む二次圧入操作を繰り返すことができ、これによって、ピンを曲げることなく、均等に且つ効率良く打ち込むことができる。従って、分割コア１１相互の連結力が均等になり、ステータコアの形状が安定する。
【００５４】
本実施の形態によれば、チャック２を、油圧を利用するものとしたので、分割コア組立体１０の外周部を中心軸２ｂに向かって均等に押圧することができるので、これによって、ピン打ち孔１４を均等に配列させることができ、ピン打ち後の各分割コア相互間の連結力が均一化し、形状が安定する。
【００５５】
本実施の形態によれば、ピンガイド４を円柱部４ａと、その一端に設けられた円盤部４ｂとで構成し、円盤部４ｂの円周面に沿って複数のピンガイド用貫通孔４ｃを設けると共に、位置合わせ用の係合ピン４ｄを設けたので、分割コア１１相互間に形成されるピン打ち孔１４に対してピン１５を正確に案内することができ、ピン１５の曲がり等の不都合を回避して安定形状のステータコアを形成することができる。
【００５６】
本実施の形態において、チャック２を手動による手動押圧装置として説明したが、手動に限定されるものではなく、例えば油圧を利用して分割コア組立体の外周部を中心軸に向かって押圧する油圧式チャックを用いることもできる。作業の効率化を図るためには、油圧式チャックを用いることが好ましい。
【図面の簡単な説明】
【００５７】
【図１】本発明の実施の形態に係るピン打ち装置を示す説明図である。
【図２】図１におけるチャックを示す平面図である。
【図３】図１の圧入プレスを示す斜視図である。
【図４】圧入プレスの先端部に取り付けられた一次圧入矢及び二次圧入矢の形状を示す説明図である。
【図５】ピンガイドの斜視図である。
【図６】ピンガイドの側面及び円盤部表面を示す説明図である。
【図７】本実施の形態に係るピン打ち方法を示すフローチャートである。
【図８】ピン打ち装置のチャックに装着された状態の分割コア組立体を示す平面図である。
【図９】図８における分割コアの拡大図である。
【図１０】ピン打ち操作を示す要部拡大図である。
【符号の説明】
【００５８】
１      台座
２      チャック
２ａ    押圧部材
２ｂ    中心軸
２ｃ    押圧レバー
２ｄ    ハンドル
２ｆ    操作ハンドル
２ｅ    押圧アーム
３      圧入プレス
３ａ    一次圧入矢
３ａ１  ピン打ちヘッド
３ｂ    二次圧入矢
３ｂ１    ピン打ちヘッド
４      ピンガイド
４ａ    円柱部
４ｂ    円盤部
４ｃ    ピンガイド用貫通孔
４ｄ    係合ピン
１０      分割コア組立体
１１      分割コア
１１ａ    基本分割コア
１１ｂ    係合孔
１２      第１突出腕
１３      第２突出腕
１４      ピン打ち孔
１５      ピン
【図１】
0005101976.tif 000002
【図２】
0005101976.tif 000003
【図３】
0005101976.tif 000004
【図４】
0005101976.tif 000005
【図５】
0005101976.tif 000006
【図６】
0005101976.tif 000007
【図７】
0005101976.tif 000008
【図８】
0005101976.tif 000009
【図９】
0005101976.tif 000010
【図１０】
0005101976.tif 000011